(57)【要約】【課題】単に暗闇や物を照らすことしかできないため、懐中電灯としての商品価値が今ひとつ常套の域を脱しておらず、趣向性にも欠ける。【解決手段】光源２に対して遠近自在に配設されたレンズ４と、文字、図柄等の模様を現出せしめる投影手段５とを備える。投影手段５は、先端ホルダー１１に螺合される中間ホルダー５ａと、中間ホルダー５ａの外周を摺動自在に変位するスライドホルダー５ｂと、スライドホルダー５ｂに螺合されるレンズホルダー５ｃとを備え、中間ホルダー５ａ内に模様表示体５ｆを固定せしめる。模様表示体５ｆは、フィルム状の透光体に図柄等の投影模様が表示してある。スライドホルダー５ｂは、中間ホルダー５ａに摺動自在に組み付けされると共に、レンズホルダー５ｃを固定状態に保持してあるため、レンズホルダー５ｃとスライドホルダー５ｂとは共に摺動し、光源２とレンズ４までの距離を任意に変えられる。【選択図】図２
0003107997.tif 000002
【実用新案登録請求の範囲】
【請求項１】
所定大きさの中空胴体と、該中空胴体の先端側に設けられた電球等の光源と、該光源をオンオフさせるスイッチとを備えてなる懐中電灯において、前記光源に対して遠近自在に摺動するレンズと、該レンズの摺動操作で文字、図柄等の模様を現出せしめる投影手段とを備えてなることを特徴とする懐中電灯。
【請求項２】
前記投影手段は、中空胴体の先端側に連結される先端ホルダーと、該先端ホルダーに中間ホルダーを介して設けられた文字、図柄等の模様を表示してなる模様表示体と、同中間ホルダーに摺動自在に組み付けられたスライドホルダーと、該スライドホルダーに連結されたレンズホルダーとを備えてなることを特徴とする請求項１に記載の懐中電灯。
【考案の詳細な説明】
【技術分野】
【０００１】
本考案は、主として携帯に便利なポケットサイズの懐中電灯の改良に関し、更に詳しくは、単に照光するだけではなく（照明の中に）文字や図柄等の模様を投影することができる趣向性に富んだ有用な懐中電灯に存する。
【背景技術】
【０００２】
従来、斯かる懐中電灯としては、例えば、所定大きさの中空胴体と、該中空胴体にランプ部及びストロボ部を介して保持された光源と、該光源に通電される電池と、前記光源をオンオフさせるスイッチとを備えたものが従来例として周知である（例えば、特許文献１参照）。
【特許文献１】特開平１１−７８０４号公報
【考案の開示】
【考案が解決しようとする課題】
【０００３】
しかしながら、上述した特開平１１−７８０４号公報に開示されている懐中電灯にあっては、使用者の着衣等に係留できるといった利点を有するものの、単に暗闇や物を照らすことしかできないため、懐中電灯としての商品価値が今ひとつ常套の域を脱しておらず、趣向性にも欠けるものである。
【０００４】
本考案はこのような従来の問題点に鑑みてなされたもので、単に暗闇や物を照らすだけではなく、照明の中に文字や図柄等の模様を投影することができる懐中電灯を提供することを目的としたものである。
【課題を解決するための手段】
【０００５】
上述の如き従来の問題点を解決し、所期の目的を達成するため本考案の要旨とする構成は、所定大きさの中空胴体と、該中空胴体の先端側に設けられた電球等の光源と、該光源をオンオフさせるスイッチとを備えてなる懐中電灯において、光源に対して遠近自在に摺動するレンズと、該レンズの摺動操作で文字、図柄等の模様を現出せしめる投影手段とを備えてなる懐中電灯に存する。
【０００６】
前記投影手段は、中空胴体の先端側に連結される先端ホルダーと、該先端ホルダーに中間ホルダーを介して設けられた文字、図柄等の模様を表示してなる模様表示体と、同中間ホルダーに摺動自在に組み付けられたスライドホルダーと、該スライドホルダーに連結されたレンズホルダーとを備えるのが良い。
【考案の効果】
【０００７】
本考案は上述のように構成され、光源に対して遠近自在に摺動するレンズと、該レンズの摺動操作で文字、図柄等の模様を現出せしめる投影手段とを備えてなることによって、単に暗闇や物を照らすのみならず、壁等に映り出す照明の中に、文字、図柄等の模様が投影されるため、趣向性に富み、懐中電灯としての商品価値を高めることができるといった効果を奏する。
【０００８】
前記投影手段は、中空胴体の先端側に連結される先端ホルダーと、該先端ホルダーに中間ホルダーを介して設けられた文字、図柄等の模様を表示してなる模様表示体と、同中間ホルダーに摺動自在に組み付けられたスライドホルダーと、該スライドホルダーに連結されたレンズホルダーとを備えてなることによって、スライドホルダーを摺動させるだけの簡単操作で照明に投影模様を現出させることができるため、子供からお年寄りまで誰にでも面白く使用できるといった効果を奏する。
【０００９】
このように本考案の懐中電灯は、単に暗闇や物を照らすだけではなく、照明の中に図柄模様等を投影できるなど趣向性に優れるものであり、また、構成が単純であるため大量生産に適し、価格も低廉なものとして需要者に供給できる等、本考案を実施することはその実益的価値が甚だ大である。
【考案を実施するための最良の形態】
【００１０】
中空胴体の先端側に固定される先端ホルダーと、該先端ホルダーに螺合されて模様表示体を固定する中間ホルダーと、該中間ホルダーの外周を摺動自在に変位するスライドホルダーと、該スライドホルダーに螺合されるレンズホルダーとを備えることによって、前記スライドホルダーを中空胴体の延長上に引き出すことで模様表示体とレンズとの焦点が合って同模様表示体に表示されている模様が照明の中に投影され、同スライドホルダーを元の位置に戻すことで、両者の焦点が合致しなくなることで、投影模様を消失せしめる。
【実施例】
【００１１】
次に、本考案の実施の一例を図面を参照しながら説明する。図中Ａは、本考案に係る懐中電灯であり、この懐中電灯Ａは、図１及び図２に示すように、所定大きさの中空胴体１と、該中空胴体１の先端側に設けられた電球等の光源２と、光源２をＯＮ／ＯＦＦさせるスイッチ３と、光源２に対して遠近自在に配設されたレンズ４と、文字、図柄等の模様を現出せしめる投影手段５とを備える。
【００１２】
中空胴体１は、図３に示すように、両端が開放された円筒体を呈しているものであり、キーホルダー６を取り付けるための尻栓ホルダー１ａと、ワッシャー７、スプリング８、絶縁フィルム９を介して豆電池１０，１０…が収納されている。
【００１３】
光源２は、豆電球、発光ダイオードなどからなり、コイルバネ状の接触子２ａと、取付基板２ｂとを介して豆電池等からなる電源１０，１０…に電気的に接続されている。
【００１４】
スイッチ３は、押釦式のスイッチであり、一旦押し込むことによりＯＮ状態に保持され、再度押し込むことによりＯＦＦ状態に復帰できるように組み付けられている。
【００１５】
また、中空胴体１の先端側には、接触子２ａを前記電源１０，１０…に接触すべく取付基板２ｂを押圧状態に挿着せしめる先端ホルダー１１を備えている。
【００１６】
レンズ４は、凸レンズからなるものであるが、これに限定されることなく、使用目的や用途に応じて他種類のレンズ（例えば、球面レンズ、凹レンズ、フレネルレンズ、キュービックレンズ、パラボリックレンズ、プリズムレンズ、マイクロレンズ等）を使用できることは云うまでもない。
【００１７】
一方、投影手段５は、先端ホルダー１１に螺合される中間ホルダー５ａと、該中間ホルダー５ａの外周を摺動自在に変位するスライドホルダー５ｂと、該スライドホルダー５ｂに螺合されるレンズホルダー５ｃとを備えている。
【００１８】
中間ホルダー５ａは、ワッシャ５ｄとＯリング５ｅとを介して模様表示体５ｆが固定されている。この模様表示体５ｆは、フィルム状の透光体に文字、図柄、写真、キャラクター、アニメ、動物・人間等の肖像などの模様(以下、単に投影模様という)が表示してある。
【００１９】
スライドホルダー５ｂは、中間ホルダー５ａの外周に摺動自在に組み付けされていると共に、レンズホルダー５ｃを固定状態に保持している。
【００２０】
レンズホルダー５ｃは、ゴムリング４ａを介してレンズ４を保持しているものであり、同レンズホルダー５ｃを長手方向へ変位させることで、同ホルダー５ｃと一体的に接続された前記スライドホルダー５ｂが摺動し、光源２とレンズ４までの距離を任意に変えることができる。
【００２１】
このように構成される本考案の懐中電灯は、通常の仕様では、図２に示すように、スイッチ３を押すことで、光源２と電源１０，１０…とが通電し、レンズ４にて光源２の光を発散することになるが、レンズホルダー５ｃを中空胴体１の延長上に引き出すことで、図４に示すように、前記模様表示体５ａとレンズ４との焦点が合うため、照明の中に投影模様を（集光すべく）現出することができ、再度、同レンズホルダー５ｃを元の位置に戻すことで、前述のレンズ４の焦点と合致しなくなるため、投影模様を任意に消失することができるのである。
【００２２】
尚、本考案の懐中電灯は、本実施例に限定されることなく、本考案の目的の範囲内で自由に設計変更し得るものであり、本考案はそれらの全てを包摂するものである。
【図面の簡単な説明】
【００２３】
【図１】本考案に係る懐中電灯の斜視図である。
【図２】同懐中電灯の縦断面図である。
【図３】同懐中電灯の組立分解斜視図である。
【図４】同懐中電灯のスライドホルダーを最長に引き出した状態を示す縦断面図である。
【符号の説明】
【００２４】
１  中空胴体
１ａ  尻栓ホルダー
２  光源
２ａ  接触子
２ｂ  取付基板
３  押しボタンスイッチ
４  レンズ
４ａ  ゴムリング
５  投影手段
５ａ  中間ホルダー
５ｂ  スライドホルダー
５ｃ  レンズホルダー
５ｄ  ワッシャ
５ｅ  Ｏリング
５ｆ  模様表示体
６  キーホルダー
７  ワッシャー
８  スプリング
９  絶縁フィルム
１０  電源
１１  先端ホルダー
【図１】
0003107997.tif 000003
【図２】
0003107997.tif 000004
【図３】
0003107997.tif 000005
【図４】
0003107997.tif 000006